(57)【要約】  ＲＦ部２２は、所定の信号を受信する。ＲＦ部２２は、受信した信号を増幅する。増幅率制御部３２は、増幅した信号をもとにＲＦ部２２での増幅率を制御し、制御した増幅率をＲＦ部２２に使用させる。増幅率制御部３２は、受信した信号がパケット信号の先頭部分に配置された既知信号である場合と、前記受信部において受信した信号がパケット信号以外の信号である場合とに応じて、異なった制御を実行する。
2012101722.tif 000002
【特許請求の範囲】
【請求項１】
所定の信号を受信する受信部と、
前記受信部において受信した信号を増幅する増幅部と、
前記増幅部において増幅した信号をもとに前記増幅部での増幅率を制御し、制御した増幅率を前記増幅部に使用させる制御部とを備え、
前記制御部は、前記受信部において受信した信号がパケット信号の先頭部分に配置された既知信号である場合と、前記受信部において受信した信号がパケット信号以外の信号である場合とに応じて、異なった制御を実行することを特徴とする受信装置。
【請求項２】
前記制御部は、
前記増幅部において増幅した信号の大きさを平均する平均化部と、
前記平均化部において平均した大きさが目標値に近づくように、増幅率を決定する決定部とを備え、
前記平均化部は、前記受信部において受信した信号がパケット信号の先頭部分に配置された既知信号である場合と、前記受信部において受信した信号がパケット信号以外の信号である場合とに応じて、平均の期間の長さを変えることを特徴とする請求項１に記載の受信装置。
【請求項３】
前記平均化部は、前記受信部において受信した信号がパケット信号の先頭部分に配置された既知信号である場合での平均の期間の長さよりも、前記受信部において受信した信号がパケット信号以外の信号である場合での平均の期間の長さを長くすることを特徴とする請求項２に記載の受信装置。
【請求項４】
前記制御部は、
前記増幅部において増幅した信号の大きさを平均する平均化部と、
前記平均化部において平均した大きさが目標値に近づくように、増幅率を決定する決定部とを備え、
前記決定部は、前記受信部において受信した信号がパケット信号の先頭部分に配置された既知信号である場合と、前記受信部において受信した信号がパケット信号以外の信号である場合とに応じて、目標値の大きさを変えることを特徴とする請求項１に記載の受信装置。
【請求項５】
前記決定部は、前記受信部において受信した信号がパケット信号の先頭部分に配置された既知信号である場合での目標値の大きさよりも、前記受信部において受信した信号がパケット信号以外の信号である場合での目標値の大きさを小さくすることを特徴とする請求項４に記載の受信装置。
【請求項６】
所定の信号を受信する受信部と、
前記受信部において受信した信号を増幅する増幅部と、
前記増幅部において増幅した信号をもとに前記増幅部での増幅率を制御し、制御した増幅率を前記増幅部に使用させる制御部とを備え、
前記制御部は、前記受信部において受信した信号がパケット信号の先頭部分に配置された既知信号である場合、所定の初期値を使用して制御を開始し、前記受信部が当該パケット信号の受信を終了した場合にも、前記所定の初期値を使用して新たな制御を開始することを特徴とする受信装置。
【請求項７】
前記制御部は、当該パケット信号の受信前に使用させていた増幅率の最終的な値を初期値として使用することを特徴とする請求項６に記載の受信装置。
【請求項８】
所定の信号を受信する受信部と、
前記受信部において受信した信号を増幅する増幅部と、
前記増幅部において増幅した信号をもとに前記増幅部での増幅率を制御し、制御した増幅率を前記増幅部に使用させる制御部とを備え、
前記制御部は、前記受信部において受信した信号がパケット信号の先頭部分に配置された既知信号である場合と、前記受信部において受信した信号がパケット信号以外の信号である場合とに応じて、増幅率の更新の頻度を変えることを特徴とする受信装置。
【請求項９】
前記制御部は、前記受信部において受信した信号がパケット信号の先頭部分に配置された既知信号である場合での更新の頻度よりも、前記受信部において受信した信号がパケット信号以外の信号である場合での更新の頻度を低くすることを特徴とする請求項８に記載の受信装置。
【請求項１０】
前記制御部は、
前記増幅部において増幅した信号の大きさを平均する平均化部と、
前記平均化部において平均した大きさが目標値に近づくように、増幅率を決定する決定部と、
前記決定部において決定した増幅率の使用を前記増幅部に指示する指示部とを備え、
前記指示部は、前記受信部において受信した信号がパケット信号の先頭部分に配置された既知信号である場合、前記平均化部での平均の期間と前記増幅部の応答期間とをもとにした区間ごとに増幅率の使用を指示し、前記受信部において受信した信号がパケット信号以外の信号である場合、前記平均化部での平均の期間と前記増幅部の応答期間と待機期間とをもとにした区間ごとに増幅率の使用を指示することを特徴とする請求項９に記載の受信装置。
【請求項１１】
前記平均化部は、前記受信部において受信した信号がパケット信号の先頭部分に配置された既知信号である場合での平均の期間の長さよりも、前記受信部において受信した信号がパケット信号以外の信号である場合での平均の期間の長さを長くすることを特徴とする請求項１０に記載の受信装置。
【請求項１２】
既知信号が先頭部分に配置されたパケット信号を受信する受信部と、
前記受信部において受信したパケット信号を増幅する増幅部と、
前記増幅部において増幅したパケット信号のうち、既知信号をもとに前記増幅部での増幅率を制御し、制御した増幅率を前記増幅部に使用させる制御部とを備え、
前記制御部は、
前記増幅部において増幅した信号の大きさを、既知信号の期間よりも短い期間において順次平均する平均化部と、
前記平均化部において順次平均した大きさが目標範囲に含まれるまで増幅率を調節し、前記平均化部において順次平均した大きさが目標範囲に含まれると増幅率を固定する決定部とを備え、
前記決定部は、増幅率が最大値よりも小さい値である場合の目標範囲の幅と、増幅率が最大値である場合の目標範囲の幅とを変えることを特徴とする受信装置。
【請求項１３】
前記決定部は、増幅率が最大値よりも小さい値である場合の目標範囲の幅よりも、増幅率が最大値である場合の目標範囲の幅を広くすることを特徴とする請求項１２に記載の受信装置。
【請求項１４】
前記決定部は、増幅率が最大値よりも小さい値である場合に、既知信号の終了タイミング前に、それまでの目標範囲の幅よりも目標範囲の幅を広げることを特徴とする請求項１２に記載の受信装置。
【発明の詳細な説明】
【技術分野】
【０００１】
本発明は、受信技術に関し、特にパケット信号を受信する受信装置に関する。
【背景技術】
【０００２】
交差点の出会い頭の衝突事故を防止するために、路車間通信の検討がなされている。路車間通信では、路側機と車載器との間において交差点の状況に関する情報が通信される。路車間通信では、路側機の設置が必要になり、手間と費用が大きくなる。これに対して、車車間通信、つまり車載器間で情報を通信する形態であれば、路側機の設置が不要になる。その場合、例えば、ＧＰＳ（Ｇｌｏｂａｌ  Ｐｏｓｉｔｉｏｎｉｎｇ  Ｓｙｓｔｅｍ）等によって現在の位置情報をリアルタイムに検出し、その位置情報を車載器同士で交換しあうことによって、自車両および他車両がそれぞれ交差点へ進入するどの道路に位置するかを判断する（例えば、特許文献１参照）。
【先行技術文献】
【特許文献】
【０００３】
【特許文献１】特開２００５−２０２９１３号公報
【発明の概要】
【発明が解決しようとする課題】
【０００４】
ＩＥＥＥ８０２．１１等の規格に準拠した無線ＬＡＮ（Ｌｏｃａｌ  Ａｒｅａ  Ｎｅｔｗｏｒｋ）では、ＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）と呼ばれるアクセス制御機能が使用されている。そのため、当該無線ＬＡＮでは、複数の端末装置によって同一の無線チャネルが共有される。このようなＣＳＭＡ／ＣＡでは、キャリアセンスによって他のパケット信号が送信されていないことを確認した後に、パケット信号が送信される。一方、ＩＴＳ（Ｉｎｔｅｌｌｉｇｅｎｔ  Ｔｒａｎｓｐｏｒｔ  Ｓｙｓｔｅｍｓ）のような車車間通信に無線ＬＡＮを適用する場合、不特定多数の端末装置へ情報を送信する必要があるために、信号はブロードキャストにて送信されることが望ましい。【０００５】
ＩＥＥＥ８０２．１１等の規格に準拠した無線ＬＡＮにおいてパケット信号を受信した場合、パケット信号の先頭部分に配置されたＳＴＦ（Ｓｈｏｒｔ  Ｔｒａｉｎｉｎｇ  Ｆｉｅｌｄ）をもとに、パケット信号を増幅するための増幅器における増幅率の設定がなされる。増幅率の設定精度が低いと、受信したパケット信号に適した増幅がなされない。例えば、受信電力の低いパケット信号に対して増幅率が低かったり、受信電力の高いパケット信号に対して増幅率が高かったりすると、パケット信号の復調精度が悪化する。そのため、受信したパケット信号に適した増幅率を設定することが望まれる。【０００６】
本発明はこうした状況に鑑みてなされたものであり、その目的は、受信したパケット信号に適した増幅率を設定する技術を提供することにある。
【課題を解決するための手段】
【０００７】
上記課題を解決するために、本発明のある態様の受信装置は、所定の信号を受信する受信部と、受信部において受信した信号を増幅する増幅部と、増幅部において増幅した信号をもとに増幅部での増幅率を制御し、制御した増幅率を増幅部に使用させる制御部とを備える。制御部は、受信部において受信した信号がパケット信号の先頭部分に配置された既知信号である場合と、受信部において受信した信号がパケット信号以外の信号である場合とに応じて、異なった制御を実行する。【０００８】
本発明の別の態様も受信装置である。この装置は、所定の信号を受信する受信部と、受信部において受信した信号を増幅する増幅部と、増幅部において増幅した信号をもとに増幅部での増幅率を制御し、制御した増幅率を増幅部に使用させる制御部とを備える。制御部は、受信部において受信した信号がパケット信号の先頭部分に配置された既知信号である場合、所定の初期値を使用して制御を開始し、受信部が当該パケット信号の受信を終了した場合にも、所定の初期値を使用して新たな制御を開始する。【０００９】
本発明のさらに別の態様もまた受信装置である。この装置は、所定の信号を受信する受信部と、受信部において受信した信号を増幅する増幅部と、増幅部において増幅した信号をもとに増幅部での増幅率を制御し、制御した増幅率を増幅部に使用させる制御部とを備える。制御部は、受信部において受信した信号がパケット信号の先頭部分に配置された既知信号である場合、予め定められた増幅率を初期値として制御を開始し、受信部において受信した信号がパケット信号以外の信号である場合、パケット信号以外の信号に対して過去に使用させた増幅率を初期値として制御を開始する。【００１０】
本発明のさらに別の態様もまた受信装置である。この装置は、所定の信号を受信する受信部と、受信部において受信した信号を増幅する増幅部と、増幅部において増幅した信号をもとに増幅部での増幅率を制御し、制御した増幅率を増幅部に使用させる制御部とを備える。制御部は、受信部において受信した信号がパケット信号の先頭部分に配置された既知信号である場合と、受信部において受信した信号がパケット信号以外の信号である場合とに応じて、増幅率の更新の頻度を変える。【００１１】
本発明のさらに別の態様もまた受信装置である。この装置は、既知信号が先頭部分に配置されたパケット信号を受信する受信部と、受信部において受信したパケット信号を増幅する増幅部と、増幅部において増幅したパケット信号のうち、既知信号をもとに増幅部での増幅率を制御し、制御した増幅率を増幅部に使用させる制御部とを備える。制御部は、増幅部において増幅した信号の大きさを、既知信号の期間よりも短い期間において順次平均する平均化部と、平均化部において順次平均した大きさが目標範囲に含まれるまで増幅率を調節し、平均化部において順次平均した大きさが目標範囲に含まれると増幅率を固定する決定部とを備える。決定部は、増幅率が最大値よりも小さい値である場合の目標範囲の幅と、増幅率が最大値である場合の目標範囲の幅とを変える。【００１２】
なお、以上の構成要素の任意の組合せ、本発明の表現を方法、装置、システム、記録媒体、コンピュータプログラムなどの間で変換したものもまた、本発明の態様として有効である。
【発明の効果】
【００１３】
本発明によれば、受信したパケット信号に適した増幅率を設定できる。
【図面の簡単な説明】
【００１４】
【図１】本発明の実施例に係る通信システムの構成を示す図である。
【図２】図１の車両に搭載された無線装置の構成を示す図である。
【図３】図１の通信システムにおいて規定されるパケット信号のフォーマットを示す図である。
【図４】図３の無線装置における受信装置の構成を示す図である。
【図５】図４の決定部において記憶されるテーブルのデータ構造を示す図である。
【図６】図６（ａ）−（ｂ）は、図３の決定部の動作概要を示す図である。
【図７】図４の指示部の構成を示す図である。
【図８】図７の指示部の動作概要を示す図である。
【図９】図４の指示部において記憶されるテーブルのデータ構造を示す図である。
【図１０】図４の受信装置における平均期間と目標値の設定手順を示すフローチャートである。
【図１１】図４の受信装置における増幅率の制御手順を示すフローチャートである。
【図１２】図４の受信装置における範囲の設定手順を示すフローチャートである。
【図１３】図４の受信装置における増幅率の記憶手順を示すフローチャートである。
【図１４】図４の受信装置における初期値の設定手順を示すフローチャートである。
【図１５】図４の受信装置の指示手順を示すフローチャートである。
【図１６】本発明の変形例に係る指示部の動作概要を示す図である。
【図１７】本発明の別の変形例に係る受信装置の構成を示す図である。
【発明を実施するための形態】
【００１５】
本発明を具体的に説明する前に、概要を述べる。本発明の実施例は、車両に搭載された端末装置間において車車間通信を実行するとともに、交差点等に設置された基地局装置から端末装置へ路車間通信も実行する通信システムに関する。当該通信システムは、ＩＴＳに相当する。車車間通信として、端末装置は、車両の速度や位置等の情報を格納したパケット信号をブロードキャスト送信する。また、他の端末装置は、パケット信号を受信するとともに、これらの情報をもとに車両の接近等を認識する。さらに、基地局装置は、渋滞情報や工事情報を格納したパケット信号をブロードキャスト送信する。端末装置は、パケット信号を受信するとともに、情報をもとに渋滞の発生や工事区間を認識する。
【００１６】
通信システムにて使用されるパケット信号のフォーマットは、無線ＬＡＮと類似しており、先頭部分にＳＴＦが配置され、それに続いてＬＴＦ（Ｌｏｎｇ  Ｔｒａｉｎｉｎｇ  Ｆｉｅｌｄ）が配置される。なお、ＬＴＦは、ふたつのＯＦＤＭシンボルを含み、ここでは、前の方をＬＴＦ１といい、後ろの方をＬＴＦ２という。無線ＬＡＮでは、一般的にパケット信号を受信すると、ＡＧＣ（Ａｕｔｏｍａｔｉｃ  Ｇａｉｎ  Ｃｏｎｔｒｏｌ）によって増幅器の増幅率を制御してからパケット信号の復調等を実行する。ＡＧＣの処理量や消費電力を低減するために、パケット信号を受信していない場合に、ＡＧＣの処理が停止される。その際、ＡＧＣの処理が停止していてもパケット信号の受信を検知するために、増幅率として最大値が設定される。このような状況で、受信電力の大きいパケット信号を受信すると、パケット信号がひずみやすくなる。また、受信電力の小さいパケット信号を受信している場合に、増幅率が小さいと復調に必要なレベルまで増幅されない。これらの結果、受信特性が悪化してしまう。受信特性の悪化を抑制するためには、受信したパケット信号に適した増幅率の設定が必要になる。
【００１７】
これに対応するため、本実施例に係る通信システムの基地局装置および端末装置における受信機能（以下、「受信装置」という）は、次の処理を実行する。受信装置は、パケット信号を受信していない期間においても増幅率の制御を実行する。パケット信号を受信していない期間では、伝搬環境の迅速な追従よりも安定した動作が望まれる。そのため、このような期間において、受信装置は、受信信号を平均するための期間（以下、「平均期間」という）をより長くし、増幅後の受信信号の目標値をより低くするとともに、増幅率の更新頻度もより低くする。また、受信装置は、パケット信号の受信終了直後において、パケット信号の受信前に使用していた増幅率を使用する。一方、パケット信号の受信中において、受信装置は、増幅後のパケット信号が目標範囲に含まれると増幅率の制御を停止し、増幅率を固定する。なお、制御中に増幅率が最大値になると、受信装置は、増幅率が低くなることを防ぎ、かつ制御を早期に終了させるために、目標範囲を広げる。
【００１８】
図１は、本発明の実施例に係る通信システム１００の構成を示す。これは、ひとつの交差点を上方から見た場合に相当する。通信システム１００は、基地局装置１０、車両１２と総称される第１車両１２ａ、第２車両１２ｂ、第３車両１２ｃ、第４車両１２ｄ、第５車両１２ｅ、第６車両１２ｆ、第７車両１２ｇ、第８車両１２ｈ、ネットワーク８０を含む。なお、各車両１２には、図示しない端末装置が搭載されている。また、エリア８２が、基地局装置１０の周囲に形成され、エリア８２の外側がエリア外８４である。
【００１９】
図示のごとく、図面の水平方向、つまり左右の方向に向かう道路と、図面の垂直方向、つまり上下の方向に向かう道路とが中心部分で交差している。ここで、図面の上側が方角の「北」に相当し、左側が方角の「西」に相当し、下側が方角の「南」に相当し、右側が方角の「東」に相当する。また、ふたつの道路の交差部分が「交差点」である。第１車両１２ａ、第２車両１２ｂが、左から右へ向かって進んでおり、第３車両１２ｃ、第４車両１２ｄが、右から左へ向かって進んでいる。また、第５車両１２ｅ、第６車両１２ｆが、上から下へ向かって進んでおり、第７車両１２ｇ、第８車両１２ｈが、下から上へ向かって進んでいる。
【００２０】
通信システム１００は、交差点に基地局装置１０を配置する。基地局装置１０は、ネットワーク８０から、渋滞情報や工事情報を受けつける。基地局装置１０は、渋滞情報や工事情報が格納されたパケット信号を生成し、パケット信号を報知する。ここで、報知は、基地局装置１０によって形成されたエリア８２内に存在する端末装置に対してなされる。車両１２に搭載された端末装置は、基地局装置１０からのパケット信号を受信すると、パケット信号に格納された渋滞情報や工事情報を抽出する。端末装置は、抽出した渋滞情報や工事情報を運転者へ通知する。通知は、例えば、モニタへの表示によってなされる。端末装置は、ＧＰＳ等によって存在位置に関する情報を取得し、存在位置に関する情報が格納されたパケット信号を生成する。端末装置は、ＣＳＭＡ／ＣＡによってパケット信号を報知する。端末装置は、他の端末装置からのパケット信号を受信すると、他の端末装置が搭載された車両１２の接近を運転者へ通知する。
【００２１】
図２は、車両１２に搭載された無線装置２０の構成を示す。無線装置２０は、ＲＦ部２２、変復調部２４、処理部２６、制御部２８を含む。無線装置２０は、図１の車両１２に搭載された端末装置に相当するが、図１の基地局装置１０に相当してもよい。以下では、端末装置と基地局装置１０とを総称して「無線装置２０」という場合もあれば、端末装置あるいは基地局装置１０を「無線装置２０」という場合もあるが、これらを明示しないものとする。
【００２２】
ＲＦ部２２は、受信処理として、図示しない他の無線装置２０からのパケット信号をアンテナにて受信する。ＲＦ部２２は、受信した無線周波数のパケット信号に対して周波数変換を実行し、ベースバンドのパケット信号を生成する。さらに、ＲＦ部２２は、ベースバンドのパケット信号を変復調部２４に出力する。一般的に、ベースバンドのパケット信号は、同相成分と直交成分によって形成されるので、ふたつの信号線が示されるべきであるが、ここでは、図を明瞭にするためにひとつの信号線だけを示すものとする。ＲＦ部２２には、ＬＮＡ（Ｌｏｗ  Ｎｏｉｓｅ  Ａｍｐｌｉｆｉｅｒ）、ミキサ、ＡＧＣ、Ａ／Ｄ変換部も含まれる。
【００２３】
ＲＦ部２２は、送信処理として、変復調部２４から入力したベースバンドのパケット信号に対して周波数変換を実行し、無線周波数のパケット信号を生成する。さらに、ＲＦ部２２は、路車送信期間において、無線周波数のパケット信号をアンテナから送信する。また、ＲＦ部２２には、ＰＡ（Ｐｏｗｅｒ  Ａｍｐｌｉｆｉｅｒ）、ミキサ、Ｄ／Ａ変換部も含まれる。
【００２４】
変復調部２４は、受信処理として、ＲＦ部２２からのベースバンドのパケット信号に対して、復調を実行する。さらに、変復調部２４は、復調した結果を処理部２６に出力する。また、変復調部２４は、送信処理として、処理部２６からのデータに対して、変調を実行する。さらに、変復調部２４は、変調した結果をベースバンドのパケット信号としてＲＦ部２２に出力する。ここで、通信システム１００は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式に対応するので、変復調部２４は、受信処理としてＦＦＴ（Ｆａｓｔ  Ｆｏｕｒｉｅｒ  Ｔｒａｎｓｆｏｒｍ）も実行し、送信処理としてＩＦＦＴ（Ｉｎｖｅｒｓｅ  Ｆａｓｔ  Ｆｏｕｒｉｅｒ  Ｔｒａｎｓｆｏｒｍ）も実行する。
【００２５】
変復調部２４において変復調処理の対象とされるパケット信号のフォーマットを説明する。図３は、通信システム１００において規定されるパケット信号のフォーマットを示す。図示のごとく、ＳＴＦが先頭に配置されるとともに、ＳＴＦに続いてＧＩ２、ＬＴＦ１、ＬＴＦ２、ＳＩＧ、データが配置されている。ここで、ＳＴＦは、１６０サンプルの信号であり、１６サンプルの信号パターンが１０回繰り返されている。つまり、ＳＴＦでは、後述のＬＴＦ１の期間よりも短い期間の信号パターンが１０回繰り返されている。ＬＴＦ１とＬＴＦ２とは、６４サンプルで同一期間であり、信号パターンも同一である。ＧＩ２は、ＬＴＦ１あるいはＬＴＦ２に対するガードインターバルであり、３２サンプルである。また、ＧＩ２、ＬＴＦ１、ＬＴＦ２とによってＬＴＦが形成されている。なお、ＬＴＦ１、ＬＴＦ２とによってＬＴＦが形成されているとしてもよい。ＳＩＧは、制御信号であり、８０サンプルである。８０サンプルには、１６サンプルのガードインターバルが含まれている。図２に戻る。
【００２６】
処理部２６は、受信処理として、変復調部２４での復調結果を受けつける。処理部２６は、復調結果の内容に応じた処理を実行する。例えば、復調結果の内容が、他の無線装置２０を搭載した車両１２の存在位置に関する情報である場合、処理部２６は、図示しない他の車両１２の接近等を運転者へモニタやスピーカを介して通知する。また、復調結果の内容が渋滞情報や工事情報であれば、それらを運転者へモニタやスピーカを介して通知する。処理部２６は、送信処理のために、図示しない図示しないＧＰＳ受信機、ジャイロスコープ、車速センサ等を含んでおり、それらから供給されるデータによって、図示しない車両１２、つまり無線装置２０が搭載された車両１２の存在位置、進行方向、移動速度等（以下、これも「存在位置」と総称する）を取得する。なお、存在位置は、緯度・経度によって示される。これらの取得には公知の技術が使用されればよいので、ここでは説明を省略する。処理部２６は、存在位置を格納したパケット信号を生成する。処理部２６は、変復調部２４へパケット信号を出力する。制御部２８は、無線装置２０の動作タイミングを制御する。
【００２７】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００２８】
図４は、無線装置２０における受信装置３０の構成を示す。受信装置３０は、ＲＦ部２２、増幅率制御部３２、ＳＴＦ相関計算部３４、立ち上がり検出部３６、状態管理部３８、復調・受信処理部４０を含み、増幅率制御部３２は、電力計算部４２、決定部４４、指示部４６を含む。
【００２９】
ＲＦ部２２は、前述のごとくアンテナを介して所定の信号を受信する。ＲＦ部２２において受信される信号は、図３に示された所望のパケット信号であったり、それ以外の干渉信号であったりする。ＲＦ部２２は、図示しない増幅部を備えており、増幅部は、ＲＦ部２２において受信した信号を増幅する。なお、増幅部は、パケット信号を増幅することもある。ここで、増幅部の増幅率は、後述の増幅率制御部３２によって設定される。ＲＦ部２２は、増幅したベースバンド信号を出力する。
【００３０】
電力計算部４２は、ＲＦ部２２から、増幅したベースバンド信号を入力する。電力計算部４２は、増幅したベースバンド信号の大きさを平均する。ここでは、平均期間における移動平均が実行される。また、平均期間として２種類が規定される。便宜上、短い方の平均期間が「第１平均期間」とされ、長い方の平均期間が「第２平均期間」とされる。なお、第１平均期間は、ＳＴＦの期間よりも短いとする。その結果、電力計算部４２は、第１平均期間による平均値と第２平均期間による平均値とを順次出力する。
【００３１】
決定部４４は、電力計算部４２から、第１平均期間による平均値と第２平均期間による平均値とを順次入力する。決定部４４は、状態管理部３８からの通知にしたがって、第１平均期間による平均値と第２平均期間による平均値とのうちのいずれかを選択する。決定部４４は、選択した平均値をもとに増幅部での増幅率を制御する。ここでは、平均値の大きさが目標値に近づくように、増幅率が決定される。決定部４４における処理の詳細は、後述する。決定部４４は、決定した増幅値を指示部４６に順次出力する。指示部４６は、決定部４４において決定した増幅率の使用を所定の頻度で増幅部に指示する。つまり、指示部４６は、制御した増幅率を増幅部に使用させる。
【００３２】
ＳＴＦ相関計算部３４は、ＲＦ部２２から、増幅したベースバンド信号を入力する。ＳＴＦ相関計算部３４は、増幅したベースバンド信号と、ＳＴＦのうちの１６サンプルのパターンとの相互相関を計算する。相互相関を計算するための相関器の構成は公知であるので、ここでは説明を省略する。ＳＴＦ相関計算部３４は、相互相関値を立ち上がり検出部３６に順次出力する。
【００３３】
立ち上がり検出部３６は、ＳＴＦ相関計算部３４から、相互相関値を入力する。立ち上がり検出部３６は、パケット信号中のＳＴＦの受信を検出する。これは、パケット信号の立ち上がりを検出することに相当する。具体的に説明すると、立ち上がり検出部３６は、相互相関値がしきい値よりも大きくなった場合に、立ち上がりを検出したと判定し、判定結果を状態管理部３８に通知する。なお、立ち上がりを検出するために、ＳＴＦ相関計算部３４、立ち上がり検出部３６は、相互相関を計算せず、信号強度、例えば、ＲＳＳＩを監視してもよい。
【００３４】
状態管理部３８は、受信装置３０の受信状態を管理する。具体的に説明すると、状態管理部３８は、パケット信号を受信している状態か、あるいはパケット信号を受信していない状態かを管理する。状態管理部３８は、パケット信号を受信していない状態において、立ち上がり検出部３６からの通知を受けつけると、パケット信号を受信している状態への遷移を認識する。そのために、状態管理部３８は、図３に示されたパケット信号のフォーマットを予め認識している。これによって、状態管理部３８は、パケット信号を受信している状態の中で、ＳＴＦを受信中であるか、ＬＴＦ１を受信中であるか、ＬＴＦ２を受信中であるか、ＳＩＧを受信中であるか、データを受信中であるかを識別する。そのために、状態管理部３８は、パケット信号の受信を開始してからのタイミングを計測する。なお、これらの識別のために、状態管理部３８は、復調・受信処理部４０からの復調結果、復号結果を利用してもよい。状態管理部３８は、ＳＴＦを受信中である状態、パケット信号を受信していない状態を決定部４４、指示部４６に通知する。
【００３５】
決定部４４は、状態管理部３８から、ＳＴＦを受信中である状態の通知、パケット信号を受信していない状態の通知を受けつける。ＳＴＦを受信中である状態の通知を受けつけると、決定部４４は、第１平均期間による平均値を選択する。一方、パケット信号を受信していない状態の通知を受けつけると、決定部４４は、第２平均期間による平均値を選択する。これは、電力計算部４２が、ＳＴＦを受信中である状態であるか、パケット信号を受信していない状態であるかに応じて、平均期間の長さを変えることに相当する。特に、前者の平均期間よりも、後者の平均期間が長くされる。
【００３６】
また、ＳＴＦを受信中である状態の通知を受けつけると、決定部４４は、所定の目標値（以下、「第１目標値」という）を設定する。一方、パケット信号を受信していない状態の通知を受けつけると、決定部４４は、第１目標値よりも小さい大きさの目標値（以下、「第２目標値」という）を設定する。つまり、決定部４４は、ＳＴＦを受信中である状態であるか、パケット信号を受信していない状態であるかに応じて、目標値の大きさを変える。これらのように、電力計算部４２、決定部４４は、状態に応じて異なった制御を実行する。
【００３７】
図５は、決定部４４において記憶されるテーブルのデータ構造を示す。図示のごとく、ＳＴＦ期間欄２００、パケット信号外欄２０２が含まれる。ＳＴＦ期間欄２００では、ＳＴＦを受信中である状態において使用されるべき第１平均期間（ＡＰ１）、第１目標値（ＴＶ１）が示されている。パケット信号外欄２０２では、パケット信号を受信していない状態において使用されるべき第２平均期間（ＡＰ２）、第２目標値（ＴＶ２）が示されている。前述のごとく、ＡＰ１＜ＡＰ２であり、ＴＶ１＞ＴＶ２である。決定部４４は、状態管理部３８から受けつけた通知に応じて、パケット信号外欄２０２に示された値あるいはパケット信号外欄２２２に示された値を選択する。図４に戻る。
【００３８】
以下では、ＳＴＦを受信中である状態における決定部４４の処理をさらに詳細に説明する。決定部４４は、目標値をまたがるように目標範囲を設定する。決定部４４は、平均値が目標範囲に含まれるようになるまで増幅率を調節する。例えば、決定部４４は、平均値が目標値の下限よりも低ければ増幅率を増加させ、平均値が目標値の上限よりも高ければ増幅率を減少させる。このような調節は、ＳＴＦの期間において繰り返しなされる。
【００３９】
図６（ａ）−（ｂ）は、決定部４４の動作概要を示す。図６（ａ）は、ＳＴＦ期間における決定部４４での比較動作を示す。横軸が時間に相当し、ＳＴＦから一定の期間が経過した後に、第１比較として、平均値と目標範囲との比較がなされる。第１比較の結果をもとに増幅率が制御されてから一定の期間が経過した後、第２比較として、平均値と目標範囲との比較が再びなされる。一定の期間が経過するまで待機する理由は、増幅部での応答期間を考慮するためである。このような処理が繰り返し実行され、図６（ａ）では、第４比較まで実行される。なお、比較回数は４回に限定されない。図６（ｂ）の説明は後述する。図４に戻る。
【００４０】
決定部４４は、平均値が目標範囲に含まれた場合、増幅率を固定する。このように固定された増幅率は、パケット信号の残りの期間にわたって使用される。特に、図６（ａ）の第１比較から第３比較のようなＳＴＦ期間の途中のタイミングであっても、決定部４４は、増幅率を固定し、残りの比較を省略する。また、決定部４４は、ＳＴＦ期間の最後のタイミングの比較、図６（ａ）の第４比較においても、平均値が目標範囲に含まれない場合、当該パケット信号の受信を中止する。つまり、適切な増幅率が設定されなかったとして、パケット信号が破棄される。このようなパケット信号破棄の確率を低減するために、決定部４４は、ＳＴＦ期間の最後のタイミングの比較において使用すべき目標範囲の幅を、それまでの目標範囲の幅よりも広げる。
【００４１】
図６（ｂ）は、決定部４４において設定される第１目標値（ＴＶ１）と目標範囲を示す。第１範囲２１０は、ＳＴＦ期間の最後のタイミングの比較以外の比較、図６（ａ）の第１比較から第３比較において使用される目標範囲である。前述のごとく、第１範囲２１０は、ＴＶ１をまたぐように設定されている。第２範囲２１２は、ＳＴＦ期間の最後のタイミングの比較、図６（ａ）の第４比較において使用される目標範囲である。第２範囲２１２の幅は、第１範囲２１０の幅よりも広くなるように規定されている。図４に戻る。以上の説明は、増幅率が最大値よりも小さい値である場合に相当する。
【００４２】
一方、決定部４４は、比較の際に増幅率が最大値であれば、次の処理を実行する。決定部４４は、比較の際に増幅率が最大値である場合、増幅率が最大値よりも小さい値である場合の目標範囲の幅よりも広い幅の目標範囲（以下、「第３範囲」という）を設定する。図６（ｂ）において、第３範囲２１４の幅は、第１範囲２１０の幅および第２範囲２１２の幅よりも広くなるように規定されている。なお、第３範囲２１４の幅は、第１範囲２１０の幅よりも広くなっていればよく、第２範囲２１２の幅よりも狭くてもよく、同一であってもよい。このように、決定部４４は、増幅率が最大値よりも小さい値である場合の目標範囲の幅と、増幅率が最大値である場合の目標範囲の幅とを変える。図４に戻る。
【００４３】
指示部４６は、状態管理部３８から、ＳＴＦを受信中である状態の通知、パケット信号を受信していない状態の通知を受けつける。指示部４６は、ＳＴＦを受信中である状態の通知を受けつけた直後と、パケット信号を受信していない状態の通知を受けつけた直後において、増幅率の初期値の使用をＲＦ部２２に指示する。前者が、パケット信号の受信を開始したタイミングに相当し、後者が、パケット信号の受信を終了したタイミングに相当する。
【００４４】
図７は、指示部４６の構成を示す。指示部４６は、初期値選択部５０、固定値記憶部５２、最新値記憶部５４を含む。固定値記憶部５２は、予め定められた増幅率（以下、「固定値」という）を記憶する。一方、最新値記憶部５４は、パケット信号を受信していない状態において決定部４４が更新した増幅率の最新の値（以下、「最新値」という）を記憶する。最新値は、増幅率が更新されるごとに更新される。初期値選択部５０は、パケット信号を受信していない状態の通知を受けつけていたときに、ＳＴＦを受信中である状態の通知を受けつければ、固定値記憶部５２から固定値を抽出し、固定値の使用をＲＦ部２２に指示する。これは、パケット信号の受信を開始すると、増幅率制御部３２は、固定値を初期値として制御を開始することに相当する。
【００４５】
一方、初期値選択部５０は、パケット信号を受信しているときに、パケット信号を受信していない状態の通知を受けつければ、最新値記憶部５４から最新値を抽出し、最新値の使用をＲＦ部２２に指示する。これは、パケット信号の受信を開始すると、増幅率制御部３２は、最新値を初期値として制御を開始することに相当する。最新値は、パケット信号以外の信号に対して過去に使用させた増幅率のうち、最終的な値ともいえる。
【００４６】
ここでは、このような処理を図８をもとに説明する。図８は、指示部４６の動作概要を示す。横軸が時間に相当し、「Ｔ１」は、パケット信号以外の信号を受信しているタイミングである。このときの増幅率は「Ｇ１」であり、「Ｇ１」が最新値とされる。次に、「Ｔ２」は、パケット信号の受信を開始したタイミングである。このときの増幅率は「ＧＣ」であり、前述の固定値に相当する。ＳＴＦの期間において、「ＧＣ」を初期値として増幅率が制御され、その結果の増幅率にて残りの期間が増幅される。「Ｔ３」は、パケット信号の受信を終了したタイミングである。このときの増幅率は、そのときの最新値である「Ｇ１」に設定される。
【００４７】
パケット信号以外の信号を受信している期間において、「Ｇ１」を初期値として増幅率が制御され、タイミング「Ｔ４」において増幅率は「Ｇ２」に更新されている。また、「Ｇ２」が最新値とされる。「Ｔ５」は、パケット信号の受信を再び開始したタイミングである。このときの増幅率も「ＧＣ」である。「Ｔ６」は、パケット信号の受信を再び終了したタイミングである。このときの増幅率は、そのときの最新値である「Ｇ２」に設定される。これは、パケット信号の受信を終了した場合に、増幅率制御部３２は、当該パケット信号の受信前に使用させていた増幅率の最終的な値を初期値として制御を開始することに相当する。図４に戻る。
【００４８】
前述のごとく、指示部４６は、決定部４４において決定した増幅率の使用を所定の頻度で増幅部に指示しているが、ここでは、頻度について説明する。指示部４６は、ＳＴＦを受信中である状態の通知を受けつけている場合、パケット信号を受信していない状態の通知を受けつけている場合とに応じて、増幅率の更新の頻度を変える。具体的に説明すると、指示部４６は、ＳＴＦを受信中である状態の通知を受けつけている場合での更新の頻度よりも、パケット信号を受信していない状態の通知を受けつけている場合での更新の頻度を低くする。
【００４９】
図９は、指示部４６において記憶されるテーブルのデータ構造を示す。図示のごとく、ＳＴＦ期間欄２２０、パケット信号外欄２２２が含まれる。ＳＴＦ期間欄２２０に示された第１間隔は、ＳＴＦを受信中である状態の通知を受けつけている場合での更新の間隔であり、パケット信号外欄２２２に示された第２間隔は、パケット信号を受信していない状態の通知を受けつけている場合での更新の間隔である。また、第１間隔＜第２間隔の関係がある。ここで、第１間隔は、第１平均期間と増幅部の応答期間とをもとにした区間であり、第２間隔は、第２平均期間と増幅部の応答期間と待機期間とをもとにした区間である。
【００５０】
このように、第２間隔は、第１間隔と比較して次のふたつの点で大きくなる。ひとつは、第１平均期間ではなく、第２平均期間になっていることであり、もうひとつは、待機期間が付加されていることである。待機期間は、任意に設定される。図４に戻る。指示部４６は、通知内容に応じて、第１間隔あるいは第２間隔ごとに増幅率の使用を指示する。また、指示部４６は、決定部４４において増幅率が固定されると、パケット信号が終了するまで、固定された増幅率の使用をＲＦ部２２に指示する。復調・受信処理部４０は、図２の変復調部２４および処理部２６のうちの受信処理を実行する。
【００５１】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００５２】
以上の構成による通信システム１００の動作を説明する。図１０は、受信装置３０における平均期間と目標値の設定手順を示すフローチャートである。パケット信号以外の信号を受信していれば（Ｓ１０のＹ）、決定部４４は、平均期間としてＡＰ２を設定し、目標値としてＴＶ２を設定する（Ｓ１２）。一方、パケット信号以外の信号を受信しておらず（Ｓ１０のＮ）、ＳＴＦを受信していれば（Ｓ１４のＹ）、決定部４４は、平均期間としてＡＰ１を設定し、目標値としてＴＶ１を設定する（Ｓ１６）。ＳＴＦを受信していなければ（Ｓ１４のＮ）、決定部４４は、制御を実行しない（Ｓ１８）。
【００５３】
図１１は、受信装置３０における増幅率の制御手順を示すフローチャートである。平均値が目標範囲内であれば（Ｓ５０のＹ）、決定部４４は、増幅率を固定する（Ｓ５２）。一方、平均値が目標範囲内でなく（Ｓ５０のＮ）、最後の比較であれば（Ｓ５６のＹ）、決定部４４は、処理を停止する（Ｓ５６）。最後の比較でなければ（Ｓ５６のＮ）、決定部４４は、増幅率を調節する（Ｓ５８）。
【００５４】
図１２は、受信装置３０における範囲の設定手順を示すフローチャートである。増幅率が最大値であれば（Ｓ６０のＹ）、決定部４４は、第３範囲を設定する（Ｓ６２）。一方、増幅率が最大値でなく（Ｓ６０のＮ）、最後の比較であれば（Ｓ６４のＹ）、決定部４４は、第２範囲を設定する（Ｓ６６）。最後の比較でなければ（Ｓ６４のＮ）、決定部４４は、第１範囲を設定する（Ｓ６８）。
【００５５】
図１３は、受信装置３０における増幅率の記憶手順を示すフローチャートである。パケット信号以外の信号を受信しており（Ｓ２０のＹ）、指示部４６は増幅率を出力していれば（Ｓ２２のＹ）、最新値記憶部５４に増幅率を記憶する（Ｓ２４）。パケット信号以外の信号を受信していない場合（Ｓ２０のＮ）、あるいは指示部４６が増幅率を出力していない場合（Ｓ２２のＮ）、処理は終了される。
【００５６】
図１４は、受信装置３０における初期値の設定手順を示すフローチャートである。パケット信号の開始タイミングであれば（Ｓ３０のＹ）、初期値選択部５０は、初期値として固定値を選択する（Ｓ３２）。パケット信号の開始タイミングでなく（Ｓ３０のＮ）、パケット信号の終了タイミングであれば（Ｓ３４のＹ）、初期値選択部５０は、初期値として最新値を選択する（Ｓ３６）。指示部４６は、増幅部に初期値を設定する（Ｓ３８）。パケット信号の終了タイミングでなければ（Ｓ３４のＮ）、処理は終了される。
【００５７】
図１５は、受信装置３０の指示手順を示すフローチャートである。パケット信号以外の信号を受信していれば（Ｓ４０のＹ）、指示部４６は、第２間隔にて指示を出力する（Ｓ４２）。一方、パケット信号以外の信号を受信しておらず（Ｓ４０のＮ）、ＳＴＦを受信していれば（Ｓ４４のＹ）、指示部４６は、第１間隔にて指示を出力する（Ｓ４６）。ＳＴＦを受信していなければ（Ｓ４４のＮ）、処理は終了される。
【００５８】
次に、本発明の変形例を説明する。変形例は、指示部の処理に関する。実施例における指示部は、パケット信号を受信していない状態の通知を受けつけていたときに、ＳＴＦを受信中である状態の通知を受けつければ、増幅率制御部３２に対して固定値を初期値として制御を開始させる。一方、変形例における指示部は、パケット信号を受信していない状態の通知を受けつけていたときに、ＳＴＦを受信中である状態の通知を受けつければ、増幅率制御部３２に対して最新値を初期値として制御を開始させる。これは、パケット信号を受信しているときに、パケット信号を受信していない状態の通知を受けつけた場合と同様の処理である。本発明の変形例に係る通信システム１００は、図１と同様のタイプであり、無線装置２０は、図２と同様のタイプであり、受信装置３０は、図４と同様のタイプである。また、指示部４６は、図７において固定値記憶部５２を備えない。以下では、差異を中心に説明する。
【００５９】
図７の初期値選択部５０は、パケット信号を受信していない状態の通知を受けつけていたときに、ＳＴＦを受信中である状態の通知を受けつければ、最新値記憶部５４から最新値を抽出し、最新値の使用をＲＦ部２２に指示する。これは、パケット信号の受信を開始すると、増幅率制御部３２は、最新値を初期値として制御を開始することに相当する。一方、初期値選択部５０は、パケット信号を受信しているときに、パケット信号を受信していない状態の通知を受けつければ、最新値記憶部５４から同一の最新値を再び抽出し、同一の最新値の使用をＲＦ部２２に指示する。これは、パケット信号の受信を開始すると、増幅率制御部３２は、最新値を初期値として新たな制御を開始することに相当する。最新値は、前述のごとく、パケット信号以外の信号に対して過去に使用させた増幅率のうち、最終的な値ともいえる。
【００６０】
ここでは、このような処理を図１６をもとに説明する。図１６は、本発明の変形例に係る指示部４６の動作概要を示す図である。「Ｔ１」において、増幅率は「Ｇ１」であり、「Ｇ１」が最新値とされる。次に、「Ｔ２」においても、増幅率は「Ｇ１」であり、最新値が使用される。ＳＴＦの期間において、「Ｇ１」を初期値として増幅率が制御され、その結果の増幅率にて残りの期間が増幅される。「Ｔ３」は、パケット信号の受信を終了したタイミングである。このときの増幅率は、そのときの最新値である「Ｇ１」に設定される。
【００６１】
パケット信号以外の信号を受信している期間において、「Ｇ１」を初期値として増幅率が制御され、タイミング「Ｔ４」において増幅率は「Ｇ２」に更新されている。また、「Ｇ２」が最新値とされる。「Ｔ５」においても、増幅率は「Ｇ２」である。「Ｔ６」は、パケット信号の受信を再び終了したタイミングである。このときの増幅率は、そのときの最新値である「Ｇ２」に設定される。
【００６２】
次に、本発明の別の変形例を説明する。本発明の別の変形例も、これまでと同様に、車車間通信と路車間通信も実行する通信システムに関し、特に、通信システムでの基地局装置および端末装置における受信機能（以下、前述のごとく「受信装置」という）に関する。実施例において受信装置は、ひとつのアンテナを備えている。一方、別の変形例に係る受信装置は、複数のアンテナを備える。別の変形例に係る通信システム１００は、図１と同様のタイプであり、無線装置２０は、図２において複数のアンテナが備えられるように構成される。ここで、無線装置２０は、複数のアンテナのうち、ひとつからパケット信号を送信する。以下では、実施例との差異を中心に説明する。
【００６３】
図１７は、本発明の別の変形例に係る受信装置３０の構成を示す。受信装置３０は、ＲＦ部２２と総称される第１ＲＦ部２２ａ、第２ＲＦ部２２ｂ、増幅率制御部３２、ＳＴＦ相関計算部３４と総称される第１ＳＴＦ相関計算部３４ａ、第２ＳＴＦ相関計算部３４ｂ、立ち上がり検出部３６、状態管理部３８、復調・受信処理部４０を含む。増幅率制御部３２は、電力計算部４２、決定部４４、指示部４６を含む。
【００６４】
ＲＦ部２２は、アンテナと１対１で対応するように設けられている。ここでは、アンテナ数を２としているが、アンテナ数が３以上であってもよい。ＲＦ部２２も、アンテナ数に応じた数だけ設けられる。電力計算部４２は、各ＲＦ部２２から、増幅したベースバンド信号を入力する。電力計算部４２は、各ベースバンド信号に対する第１平均期間による平均値と第２平均期間による平均値を導出する。ここでは、第１ＲＦ部２２ａからのベースバンド信号に対する第１平均期間による平均値と第２平均期間による平均値に加えて、第２ＲＦ部２２ｂからのベースバンド信号に対する第１平均期間による平均値と第２平均期間による平均値が出力される。
【００６５】
決定部４４は、ＳＴＦを受信中である状態の通知を受けつけると、決定部４４は、第１平均期間による平均値を複数選択し、パケット信号を受信していない状態の通知を受けつけると、第２平均期間による平均値を複数選択する。前者では、第１ＲＦ部２２ａからのベースバンド信号に対する第１平均期間による平均値と第２ＲＦ部２２ｂからのベースバンド信号に対する第１平均期間による平均値とが選択される。また、後者では、第１ＲＦ部２２ａからのベースバンド信号に対する第２平均期間による平均値と第２ＲＦ部２２ｂからのベースバンド信号に対する第２平均期間による平均値とが選択される。
【００６６】
決定部４４は、ＳＴＦを受信中である状態の場合に、いずれかの平均値を選択する。例えば、第１ＲＦ部２２ａからのベースバンド信号に対する第１平均期間による平均値と第２ＲＦ部２２ｂからのベースバンド信号に対する第１平均期間による平均値とのうち、大きい方が選択される。決定部４４は、選択した平均値に対して、実施例と同様の処理を実行する。決定部４４は、パケット信号を受信していない状態の場合に、いずれの平均値を選択する。例えば、第１ＲＦ部２２ａからのベースバンド信号に対する第２平均期間による平均値と第２ＲＦ部２２ｂからのベースバンド信号に対する第２平均期間による平均値とのうち、大きい方が選択される。決定部４４は、選択した平均値に対して、実施例と同様の処理を実行する。なお、これらの場合において、決定部４４は、小さい方を選択してもよい。さらに、決定部４４は、いずれかの場合において大きい方を選択し、別の場合において小さい方を選択してもよい。なお、選択の代わりに、平均等の統計処理がなされてもよい。
【００６７】
ＳＴＦ相関計算部３４は、ＲＦ部２２から、増幅したベースバンド信号を入力する。各ＳＴＦ相関計算部３４は、相互相関値を立ち上がり検出部３６に順次出力する。立ち上がり検出部３６は、各ＳＴＦ相関計算部３４から、相互相関値を入力する。立ち上がり検出部３６は、パケット信号中のＳＴＦの受信を検出する。その際、立ち上がり検出部３６は、いずれかの相互相関値を選択し、選択した相互相関値に対して実施例と同様の処理を実行してもよく、複数の相互相関値のそれぞれに対して実施例と同様の処理を実行した後にいずれかを選択してもよい。なお、立ち上がり検出部３６は、大きい方を選択してもよく、検出タイミングの早い方を選択してもよい。さらに、立ち上がり検出部３６は、決定部４４で選択した方と同一の方を選択してもよい。なお、選択の代わりに、平均等の統計処理がなされてもよい。
【００６８】
本発明の実施例によれば、既知信号を受信した場合とパケット信号以外の信号を受信した場合とに応じて異なった制御を実行するので、受信したパケット信号に適した増幅率を設定できる。また、受信したパケット信号に適した増幅率が設定されるので、受信品質を向上できる。また、既知信号を受信した場合とパケット信号以外の信号を受信した場合とに応じて平均期間の長さを変えるので、それぞれの場合に適した平均値を取得できる。また、それぞれの場合に適した平均値が取得されるので、増幅率の設定精度を向上できる。また、既知信号を受信した場合での平均期間の長さよりも、パケット信号以外の信号を受信した場合の平均期間の長さを長くするので、雑音の影響を低減できる。また、雑音の影響が低減されるので、処理を安定化できる。また、パケット信号以外の信号を受信した場合の平均期間の長さよりも、既知信号を受信した場合での平均期間の長さを短くするので、パケット信号の入力による受信電力の変動に追従できる。また、受信電力の変動に追従されるので、増幅率の設定精度を向上できる。
【００６９】
また、既知信号を受信した場合とパケット信号以外の信号を受信した場合とに応じて目標値の長さを変えるので、それぞれの場合に適した増幅率を取得できる。また、それぞれの場合に適した増幅率が取得されるので、増幅率の設定精度を向上できる。また、既知信号を受信した場合での目標値の大きさよりも、パケット信号以外の信号を受信した場合の目標値の大きさを小さくするので、干渉信号の増幅を抑制できる。また、干渉信号の増幅が抑制されているので、パケット信号を受信した場合でもパケット信号がひずむ可能性を低減できる。また、パケット信号がひずむ可能性が低減されるので、受信品質を向上できる。また、パケット信号以外の信号を受信した場合の目標値の大きさよりも、既知信号を受信した場合での目標値の大きさを大きくするので、復調対象のパケット信号を十分に増幅できる。また、復調対象のパケット信号が十分に増幅されるので、受信品質を向上できる。
【００７０】
また、既知信号を受信した場合とパケット信号以外の信号を受信した場合とに応じて初期値を変えるので、受信したパケット信号に適した増幅率を設定できる。また、既知信号を受信した場合に、予め定められた増幅率を初期値として制御を開始するので、さまざまな電力で受信されるパケット信号に対する増幅率のずれを低減できる。また、増幅率のずれが低減されるので、受信品質を向上できる。また、パケット信号以外の信号を受信した場合に、パケット信号以外の信号に対して過去に使用させた増幅率を初期値として制御を開始するので、最大の増幅率を設定することを回避できる。また、最大の増幅率を設定することが回避されるので、干渉信号に対する増幅を抑制できる。また、パケット信号の受信を終了した場合に、当該パケット信号の受信前に使用させていた増幅率の最終的な値を初期値として制御を開始するので、簡易な処理で実行できる。
【００７１】
また、既知信号を受信した場合とパケット信号以外の信号を受信した場合とに応じて、受信したパケット信号に適した増幅率を設定できる。また、パケット信号以外の信号を受信した場合の更新の頻度よりも、既知信号を受信した場合の更新の頻度を高くするので、受信電力の変動に追従した増幅率を設定できる。また、既知信号を受信した場合の更新の頻度よりも、パケット信号以外の信号を受信した場合の更新の頻度を低くするので、処理量を低減できる。また、消費量が低減されるので、消費電力を低減できる。また、既知信号を受信した場合に、平均期間と増幅部の応答期間とをもとにした区間ごとに増幅率の使用を指示するので、増幅率を迅速に指示できる。また、パケット信号以外の信号を受信した場合に、平均期間と増幅部の応答期間と待機期間とをもとに増幅率の使用を指示するので、更新間隔を長くできる。また、既知信号を受信した場合の平均期間よりも、パケット信号以外の信号を受信した場合の平均期間を長くするので、更新間隔を長くできる。
【００７２】
また、増幅率が最大値よりも小さい値である場合の目標範囲の幅と、増幅率が最大値である場合の目標範囲の幅とを変えるので、受信したパケット信号に適した増幅率を設定できる。また、増幅率が最大値よりも小さい値である場合の目標範囲の幅よりも、増幅率が最大値である場合の目標範囲の幅を広くするので、増幅率が最大値である場合に平均値を目標範囲に含めやすくできる。また、増幅率が最大値である場合に平均値を目標範囲に含めやすくなるので、増幅率の制御を停止できる。また、増幅率の制御が停止されるので、処理量を低減できる。また、増幅率の制御が停止されるので、増幅率として大きい値を維持できる。また、増幅率として大きい値が維持されるので、パケット信号を十分増幅できる。また、増幅率が最大値よりも小さい値である場合に、既知信号の終了タイミング前に、それまでの目標範囲の幅よりも目標範囲の幅を広げるので、平均値を目標範囲に含めやすくできる。また、平均値が目標範囲に含めやすくなるので、パケット信号の復調を中止する確率を低減できる。
【００７３】
また、既知信号を受信した場合とパケット信号以外の信号を受信した場合とにおいて、同一の最新値を使用しながらも、別の制御を実行するので、最新の伝搬環境を反映させながらも、それぞれの場合に適した増幅率を設定できる。また、増幅率を制御する際に、大きい方を選択するので、大きい方の平均値をもとに増幅率を決定できる。また、大きい方の平均値をもとに増幅率を決定するので、ＡＤ変換においてオーバフローが発生する確率を低減できる。また、オーバフローの発生確率が低減されるので、受信品質を向上できる。また、増幅率を制御する際に、小さい方を選択するので、小さい方の平均値をもとに増幅率を決定できる。
【００７４】
また、小さい方の平均値をもとに増幅率を決定するので、ＡＤ変換においてアンダーフローが発生する確率を低減できる。また、アンダーフローの発生確率が低減されるので、受信品質を向上できる。また、状況に応じて、大きい方あるいは小さい方を選択するので、状況に適した増幅率を決定できる。また、複数の相互相関値のいずれかを選択してから、パケット信号中のＳＴＦの受信を検出するので、処理量の増加を抑制できる。また、パケット信号中のＳＴＦの受信を複数検出してから、いずれかを選択するので、検出精度を向上できる。
【００７５】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【符号の説明】
【００７６】
１０  基地局装置、  １２  車両、  ２０  無線装置、  ２２  ＲＦ部、  ２４  変復調部、  ２６  処理部、  ２８  制御部、  ３０  受信装置、  ３２  増幅率制御部、  ３４  ＳＴＦ相関計算部、  ３６  立ち上がり検出部、  ３８  状態管理部、  ４０  復調・受信処理部、  ４２  電力計算部、  ４４  決定部、  ４６  指示部、  ５０  初期値選択部、  ５２  固定値記憶部、  ５４  最新値記憶部、  ８０  ネットワーク、  ８２  エリア、  ８４  エリア外、  １００  通信システム。
【産業上の利用可能性】
【００７７】
本発明によれば、受信したパケット信号に適した増幅率を設定できる。
【図１】
2012101722.tif 000003
【図２】
2012101722.tif 000004
【図３】
2012101722.tif 000005
【図４】
2012101722.tif 000006
【図５】
2012101722.tif 000007
【図６】
2012101722.tif 000008
【図７】
2012101722.tif 000009
【図８】
2012101722.tif 000010
【図９】
2012101722.tif 000011
【図１０】
2012101722.tif 000012
【図１１】
2012101722.tif 000013
【図１２】
2012101722.tif 000014
【図１３】
2012101722.tif 000015
【図１４】
2012101722.tif 000016
【図１５】
2012101722.tif 000017
【図１６】
2012101722.tif 000018
【図１７】
2012101722.tif 000019
【国際調査報告】
2012101722.tif 000020
2012101722.tif 000021
2012101722.tif 000022
2012101722.tif 000023
2012101722.tif 000024
2012101722.tif 000025
2012101722.tif 000026